(57)【要約】      （修正有）【課題】支柱に固定された薄板状の固定部材に対して、複数の作業者を必要とすることなく階段の傾斜に対して平行に横桟材の本固定することが容易になるとともに、横桟材の意匠を活かした見栄えを保つ状態で支柱に横桟材を本固定するために、横桟材を本固定したあとに取外すことが可能な横桟材用仮固定具を提供する。【解決手段】横桟材用仮固定具１は、横桟材に薄板状の固定部材を当接させた状態で保持する横桟材保持部２０と、該横桟材保持部２０を拡開するツマミ部１０と、が一体で形成され、ツマミ部１０は、左右側面１０ｃ、１０ｃに形成された切込部１１と、底面１０ａに形成された溝部と、を有するものである。【選択図】図２
2020060071.tif 000002
【特許請求の範囲】
【請求項１】
横桟材に固定部材を当接させた状態で保持する横桟材保持部と、該横桟材保持部を拡開するツマミ部と、が一体で形成され、
前記ツマミ部は、上面方向が開口した略箱形状であり、左右側面に形成された切込部と、底面に形成された溝部と、を有することを特徴とする横桟材用仮固定具。
【請求項２】
溝部は、該溝部の中央付近のみツマミ部の底面から下面まで貫通した開口部を有することを特徴とする請求項１記載の横桟材用仮固定具。
【請求項３】
ツマミ部の下面は、横桟材の側面に当接した状態で摺接し得る当接面と、該当接面の中央付近にツマミ部の底面側に凹んだ段部と、を有することを特徴とする請求項１記載の横桟材用仮固定具。
【請求項４】
横桟材保持部は、ツマミ部の外側面から下方に略逆Ｕ字の板状に延設された保持面と、該保持面の先端から突出した横桟材に当接した状態の固定部材と係合する係止片と、を有することを特徴とする請求項１記載の横桟材用仮固定具。
【発明の詳細な説明】
【技術分野】
【０００１】
本発明は、階段の手摺を支持する支柱に固定された固定部材に対して横桟材を仮固定するための横桟材用仮固定具に関する。
【背景技術】
【０００２】
従来、階段の手摺の支柱に転落防止等を目的としてパネルや横桟材を固定するものがある。しかしながら、図１のような階段等の傾斜を有する支柱間に横桟材を取付けようとすると、複数の作業者が横桟材を階段等の傾斜に対して平行に調整してバランスを確認しつつ、横桟材を保持して取付作業を行わなければならず手間が掛かるものであった。
【０００３】
上記欠点を解決するために、例えば特許文献１に記載された発明には、階段の手摺の支柱に横桟材を本固定するために、支柱に固着したキャップ体に横桟材を収容して被覆固定する横桟材用取付具が開示されている。
【先行技術文献】
【特許文献】
【０００４】
【特許文献１】特開２００７−８５０７８号公報（特許第４１１９４４５号）
【発明の概要】
【発明が解決しようとする課題】
【０００５】
しかしながら、上述した横桟材用取付具は、複数の作業者が横桟材の傾斜等を調整することなく横桟材の支柱への取付作業が容易になる一方で、横桟材用取付具自体の構造が複雑であるために製造費用が掛かるとともに、取付ける横桟材の本数や支柱の長さに応じた個数を用意する必要があるため階段の手摺の支柱に複数の横桟材用取付具を必要とする場合には高価になってしまう欠点を有する。また、この横桟材用取付具は、横桟材を差し込むキャップであり、横桟材の一部を覆い隠してしまうため、横桟材の直線的な形状を活かした意匠を阻害し、階段全体の見栄えを損なうおそれがある。
【０００６】
したがって、製造費用を抑えるために簡易な構造とした支柱に固定された薄板状の固定部材に対して、複数の作業者を必要とすることなく階段の傾斜に対して平行に横桟材の本固定することが容易になるとともに、横桟材の意匠を活かした見栄えを保つ状態で支柱に横桟材を本固定するために、横桟材を本固定したあとに取外すことが可能な横桟材用仮固定具を提供することが望まれている。
【課題を解決するための手段】
【０００７】
本発明は、上記課題に鑑み、横桟材を固定部材に当接させた状態で保持する横桟材保持部と、該横桟材保持部を拡開するツマミ部と、が一体で形成され、
前記ツマミ部は、上面方向が開口した略箱形状であり、左右側面に形成された切込部と、底面に形成された溝部と、を有することを特徴とするものである。
【０００８】
また、上述した構成に加え、溝部は、該溝部の中央付近のみツマミ部の底面から下面まで貫通した開口部と、を有することが好ましい。
【０００９】
また、上述した構成に加え、ツマミ部の下面は、横桟材の側面に当接した状態で摺接し得る当接面と、該当接面の中央付近にツマミ部の底面側に凹んだ段部と、を有することが好ましい。
【００１０】
また、上述した構成に加え、横桟材保持部は、ツマミ部の外側面から下方に略逆Ｕ字の板状に延設された保持面と、該保持面の先端から突出した横桟材に当接した状態の固定部材と係合する係止片と、を有することが好ましい。
【発明の効果】
【００１１】
請求項１ないし４記載の発明によれば、支柱に固定された薄板状の固定部材に対して、複数の作業者を必要とすることなく階段の傾斜に対して平行に横桟材の本固定することが容易になるとともに、横桟材の意匠を活かした見栄えを保つ状態で支柱に横桟材を本固定するために、横桟材を本固定後に取外すことができる横桟材用仮固定具を提供することが可能である。
【図面の簡単な説明】
【００１２】
【図１】階段の手摺を支持する支柱に横桟材が取付られた状態を示す概念図である。
【図２】本発明の実施形態に係る横桟材用仮固定具の一例を示す（a）斜め上方から見た斜視図、(b)斜め下方から見た斜視図である。
【図３】図２に示す横桟材用仮固定具の(a)正面図、(b)A−A線断面図、(c)B−B線断面図、(d)底面図である。
【図４】支柱に固定された固定部材に横桟材を仮固定させた状態を示す(a)分解平面図、及び、(b)側面図である。
【図５】手摺の支柱に予め複数固定された横桟材に対して新たに横桟材を固定部材に仮固定した状態を示す正面図である。
【図６】連結部材を介して連結された横桟材を固定部材に仮固定した状態を示す(a)平面図、(b)背面図である。
【発明を実施するための形態】
【００１３】
本発明に係る実施形態の一例について図２−４に基づいて詳細に説明する。
【００１４】
（実施形態）
横桟材用仮固定具１は、横桟材２に薄板状の固定部材３を当接させた状態で保持する横桟材保持部２０と、該横桟材保持部２０を拡開するツマミ部１０と、が一体で形成されているものである。
【００１５】
ツマミ部１０は、上面方向が開口した略箱形状であり、長手方向の左右側面１０ｃ、１０ｃに形成された切込部１１と、底面１０ａに形成された溝部１２と、溝部１２の中央付近をツマミ部１０の底面１０ａから下面１０ｂまで貫通した開口部１２ａと、を有するものである。また、ツマミ部１０の下面１０ｂは、横桟材２の側面に当接した状態で摺接し得るように形成された平坦な当接部１３、１３を有するものである。また、ツマミ部１０の下面１０ｂは、後述する複数の横桟材２を連結する連結部材６を回避するために当接部１３、１３の中央付近にツマミ部１０の底面１０ａ側に凹んだ段部１４を設けることが好ましい。
【００１６】
ツマミ部１０の左右側面１０ｃ、１０ｃに形成された切込部１１、１１は、ツマミ部１０の左右側面１０ｃ、１０ｃ上の上端が開口し、底面１０ａ側に細長い縦溝状に形成され、下端には断面略Ｖ字状の凹部１１ａ、１１ａを有するものである。この切込部１１、１１は、後述する横桟材２及び固定部材３を保持するための横桟材保持部２０を拡開するためにツマミ部１０を変形しやすいように設けられたものである。
【００１７】
ツマミ部１０の溝部１２は、上述した切込部１１、１１の最下端に位置する凹部１１ａ、１１ａ間の底面１０ａに上述の凹部１１ａ、１１ａと同様の断面略Ｖ字状に形成され、溝部１２の長手方向幅に対して約１/２程度の幅のその中央にはツマミ部１０の底面１０ａから下面１０ｂまで貫通するように形成された開口部１２ａを有するものである。この溝部１２をＶ字状の断面形状とすることで横桟材保持部２０を拡開する際にヒンジのような機能を有し、また、所定の幅の開口部１２ａを設けることで適度な弾性力を備えさせることで、横桟保持部材２０を拡開しやすくするとともに、横桟材２及び固定部材３を当接した状態で保持することが可能である。また、切込部１１、１１は、横桟材保持部２の過剰な拡開を防止し、ヒンジのような機能の破壊を防ぐことが可能である。
【００１８】
横桟材保持部２０は、ツマミ部１０の外側面１０ｄ、１０ｄから下方に略逆Ｕ字状に延設された保持面２１、２１と、保持面２１、２１の先端に横桟材２に当接した状態の固定部材３と係合する係止片２２、２２と、を有するものである。この保持面２１、２１は、横桟材２を固定部材３に仮固定した状態において支柱４を回避するために少なくともツマミ部１０の長手方向幅よりも外側に４つ位置させて、保持面２１、２１が対向する方向から突出する一対の断面略直角三角形状の係止片２２、２２を有するものである（横桟保持部材２０の長手方向幅方向に広がった略Ｕ字状形状となる）。
【００１９】
また、この横桟材用仮固定具１は、作業者が離れた状態でも支柱４に固定された固定部材３に横桟材を当接した状態で保持するために軽量なものが好ましく、例えば、プラスチック等の合成樹脂材を主体とする素材を射出成形等によって製造されものである。
【００２０】
次に、上述した構成からなる横桟材用仮固定具１を用いて、アルミなどの金属製の角パイプからなる横桟材２を、薄板状の固定部材３に仮固定する方法について図４―６に基づいて詳細に説明する。
【００２１】
図４は、固定部材３を固定ネジS2で支柱４に固定した後、横桟材２を固定部材３に仮固定した状態を示したものである。この横桟材用仮固定具１によって固定部材３と横桟材２とを当接した状態に仮固定させることで、作業者が横桟材２を保持しなくとも階段の傾斜に平行となるように調整しつつ、支柱４側から固定部材３及び横桟材２に固定ネジS1、S1をねじ込む際にねじ込む方向にかかる荷重に対して作業者が横桟材２を保持しなくとも横桟材２から固定部材３を離れずに本固定することが可能である。
【００２２】
図５は、支柱４に予め本固定された横桟材２に対して新たな横桟材２を固定部材３に本固定する前に仮固定した状態を示したものである。このとき、新たな横桟材２をすでに本固定された横桟材２に対して平行になるように仮固定しながら調整することができ、すべての横桟材２が平行な状態で支柱４に固定された固定部材３に本固定することが可能である。
【００２３】
図６は、複数の横桟材２が連結部材６を介して連結された横桟材２を固定部材３に仮固定した状態を示したものである。このとき、横桟材２の連結部材６が接触せずに、ツマミ部１０の底面１０ａに形成された溝部１２の中央付近の開口部１２ａを介して連結部材６を仮固定した状態で目視することができ、この仮固定した状態の横桟材２の階段の傾斜に対して平行でなかったりして取付けをやり直す際に一目で仮固定を外す位置を確認することが可能である。
【００２４】
したがって、上述した本実施形態によって、製造費用を抑えるために簡易な構造とした支柱４に固定された薄板状の固定部材３に対して、複数の作業者を必要とすることなく階段の傾斜に対して平行に横桟材２を本固定することが容易になるとともに、横桟材２の意匠を活かした見栄えを保つ状態で支柱４に横桟材２を本固定するために、横桟材２を固定部材３に仮固定し、横桟材３を本固定したあとに取外すことが可能な横桟材用仮固定具１を提供することが可能である。
【００２５】
上記の実施形態では本発明の好ましい実施形態を例示したが、本発明は上記の実施形態に限定されるものではなく、特許請求の範囲に記載した範囲内で改善や変更が可能である。例えば、横桟材２が円筒形状のパイプである場合、パイプの断面形状に沿った略円弧状の保持面２１等に変更することが可能である。
【符号の説明】
【００２６】
１…横桟材用仮固定具、
10…ツマミ部、10a…底面、10ｂ…下面、10c…左右側面、10d…外側面、
11…切込部、11a…凹部、12…溝部、12a…開口部、13…当接部、14…段部、
20…横桟材保持部、21…保持面、22…係止片、
２…横桟材、３…固定部材、４…支柱、５…手摺、６…連結部材、
S1、S2…固定ネジ。
【図１】
2020060071.tif 000003
【図２】
2020060071.tif 000004
【図３】
2020060071.tif 000005
【図４】
2020060071.tif 000006
【図５】
2020060071.tif 000007
【図６】
2020060071.tif 000008